(57)【要約】      （修正有）【課題】自動車等の車両の使用者等が、レギュラーガソリン、ハイオクガソリン、軽油等の油種を誤認して誤給油する危険性を低下させる。【解決手段】車両１１に搭載され、車両に供給すべき油種名を案内する車両用油種案内システム１であって、油種名を記録する記録手段２と、記録された油種名を車両内に表示する表示手段３又は／及び油種名を車両内に音声で案内する音声案内手段４と、車両の給油準備動作を検知する検知手段５と、検知手段から給油準備動作検知信号を受信したときに、記録された油種名を車両内に表示又は／及び音声で案内するように制御する制御手段６とを備える。検知手段５が車両の給油タンク１２の蓋を露出させる車体カバーを開閉する操作ノブ１３の開動作を給油準備動作として検知すると、制御手段が表示手段によって記録された油種名を表示するように制御することができる。【選択図】図２
0003140151.tif 000002
【実用新案登録請求の範囲】
【請求項１】
車両に搭載され、該車両に供給すべき油種名を案内する車両用油種案内システムであって、
前記油種名を記録する記録手段と、
該記録手段に記録された油種名を該車両内に表示する表示手段又は／及び前記油種名を該車両内に音声で案内する音声案内手段と、
該車両の給油準備動作を検知する検知手段と、
該検知手段から給油準備動作検知信号を受信したときに、前記記録手段に記録された油種名を車両内に表示又は／及び音声で案内するように前記表示手段又は／及び前記音声案内手段を制御する制御手段とを備えることを特徴とする車両用油種案内システム。
【請求項２】
前記検知手段は、該車両の給油タンクの蓋を露出させる車体カバーを開閉する操作ノブの開動作を、前記給油準備動作として検知することを特徴とする請求項１に記載の車両用油種案内システム。
【請求項３】
前記表示手段は、前記記録手段に記録された油種名を該車両のダッシュボード上に表示することを特徴とする請求項１又は２に記載の車両用油種案内システム。
【請求項４】
前記検知手段は、マイクロスイッチ又は感圧センサを有することを特徴とする請求項２又は３に記載の車両用油種案内システム。
【請求項５】
車両に搭載され、該車両に供給すべき油種名を案内する車両用油種案内装置であって、
前記油種名を記録する記録手段と、
該車両の給油準備動作を検知する検知手段から給油準備動作検知信号を受信したときに、前記記録手段に記録された油種名の表示命令を表示手段に送信するか、前記油種名の音声案内命令を音声案内手段に送信するか、これら２つの命令を各々表示手段及び音声案内手段に送信する制御手段とを備えることを特徴とする車両用油種案内装置。
【請求項６】
車両に搭載され、該車両に供給すべき油種名を案内する車両用油種案内装置であって、
前記油種名を記録する記録手段と、
該車両の給油タンクの蓋を露出させる車体カバーを開閉する操作ノブの開動作を検知する検知手段から、操作ノブの開動作検知信号を受信したときに、前記記録手段に記録された油種名の表示命令を表示手段に送信するか、前記油種名の音声案内命令を音声案内手段に送信するか、これら２つの命令を各々表示手段及び音声案内手段に送信する制御手段とを備えることを特徴とする車両用油種案内装置。
【考案の詳細な説明】
【技術分野】
【０００１】
本考案は、自動車等の車両に給油すべき油の種類を誤って給油する誤給油の防止に資する車両用油種案内システム及び装置に関する。    
【背景技術】
【０００２】
自動車の燃料には、大きく分けて、レギュラーガソリン、ハイオクガソリン及び軽油の３種があり、油種を誤って給油するとエンジンに不具合が生じ、重大な事故が発生する虞もある。そこで、例えば、特開平０７−３１５４９６号公報には、給油開始操作により、給油ノズルの本体から給油タンクの給油口内に伸張し、給油タンク内の油種を検知する油種検知手段を備える油種センサを備えた給油ノズルが提案されている。
【特許文献１】特開平０７−３１５４９６号公報
【考案の開示】
【考案が解決しようとする課題】
【０００３】
しかし、上記特許文献１に記載の油種検出センサ付き給油ノズルが全てのガソリンスタンド等に設置されていないのが現状であり、この給油ノズルが設置されていないガソリンスタンド等においては、車両に給油すべき油の種類を誤認すると、誤給油の虞があるという問題があった。
【０００４】
そこで、本考案は、上記従来の技術における問題点に鑑みてなされたものであって、車両の使用者等が誤給油する危険性を低下させることを目的とする。
【課題を解決するための手段】
【０００５】
上記目的を達成するため、本考案は、車両に搭載され、該車両に供給すべき油種名を案内する車両用油種案内システムであって、前記油種名を記録する記録手段と、該記録手段に記録された油種名を該車両内に表示する表示手段又は／及び前記油種名を該車両内に音声で案内する音声案内手段と、該車両の給油準備動作を検知する検知手段と、該検知手段から給油準備動作検知信号を受信したときに、前記記録手段に記録された油種名を車両内に表示又は／及び音声で案内するように前記表示手段又は／及び前記音声案内手段を制御する制御手段とを備えることを特徴とする。
【０００６】
そして、本考案によれば、車両の使用者等が給油作業等の前に、該車両に供給すべき油種名を確認することができるため、誤給油の危険性を低下させることができる。
【０００７】
前記車両用油種案内システムにおいて、前記検知手段は、該車両の給油タンクの蓋を露出させる車体カバーを開閉する操作ノブの開動作を、前記給油準備動作として検知することができる。これによって、通常の自動車における誤給油の危険性を低下させることができる。
【０００８】
前記車両用油種案内システムにおいて、前記表示手段を、前記記録手段に記録された油種名を該車両のダッシュボード上に表示するように構成することができ、運転席等から容易に油種名を視認することができる。
【０００９】
前記車両用油種案内システムにおいて、前記検知手段を、マイクロスイッチ又は感圧センサを有するように構成することができ、簡単な構成で車両油種案内システムを構成することができる。
【００１０】
また、本考案は、車両に搭載され、該車両に供給すべき油種名を案内する車両用油種案内装置であって、前記油種名を記録する記録手段と、該車両の給油準備動作を検知する検知手段から給油準備動作検知信号を受信したときに、前記記録手段に記録された油種名の表示命令を表示手段に送信するか、前記油種名の音声案内命令を音声案内手段に送信するか、これら２つの命令を各々表示手段及び音声案内手段に送信する制御手段とを備えることを特徴とする。本考案によれば、上記考案と同様に、車両の使用者等が誤給油する危険性を低下させることができる。
【００１１】
さらに、本考案は、車両に搭載され、該車両に供給すべき油種名を案内する車両用油種案内装置であって、前記油種名を記録する記録手段と、該車両の給油タンクの蓋を露出させる車体カバーを開閉する操作ノブの開動作を検知する検知手段から、操作ノブの開動作検知信号を受信したときに、前記記録手段に記録された油種名の表示命令を表示手段に送信するか、前記油種名の音声案内命令を音声案内手段に送信するか、これら２つの命令を各々表示手段及び音声案内手段に送信する制御手段とを備えることを特徴とする。本考案によれば、上記考案と同様に、通常の自動車の使用者等が誤給油する危険性を低下させることができる。
【考案の効果】
【００１２】
以上のように、本考案にかかる車両用油種案内システム及び装置によれば、自動車等の車両の使用者等による誤給油の危険性を低下させることができる。
【考案を実施するための最良の形態】
【００１３】
図１及び図２は、本考案にかかる車両用油種案内システム（以下、適宜「案内システム」と略称する）の一実施の形態を示し、この案内システム１は、予め、車両１１の給油タンク１２に給油すべき油の油種名を記録する記録部２と、記録された油種名を表示する表示部３と、記録された油種名を音声で案内する音声案内部４と、給油タンク１２の蓋を露出させる車体カバー（不図示）を開閉する操作ノブ１３の開動作を検知する開動作検知部５と、案内システム１全体を制御する制御部６とを備える。
【００１４】
記録部２は、制御部６とともに一つの装置（車両用油種案内装置９）として、車両１１のダッシュボード等に配置され、この記録部２には、予め、車両１１の使用者等が車両用油種案内システム１を搭載する車両に給油すべき油の油種名を入力手段（不図示）を介して記録するか、車両用油種案内装置９の製造の際に記録する。
【００１５】
表示部３は、制御部６からの表示命令を受信し、記録部２に記録された油種名を表示するために設けられる。表示部３として、車両１１に設置されたカーナビゲーションシステムの液晶等を利用することもできる。
【００１６】
音声案内部４は、制御部６からの音声案内命令を受信して、記録部２に記録された油種名を音声で車両１１内に案内するために設けられ、この音声案内部４として、車両１１に設置されたスピーカーを利用することもできる。
【００１７】
開動作検知部５は、操作ノブ１３の付近に配置され、給油タンク１２の蓋を露出させる車体カバーを開閉する操作ノブ１３の開動作を検知し、開動作を検知した場合に、制御部６に対して開動作検知信号を送信する。開動作検知部５としては、マイクロスイッチ又は感圧センサを利用することができる。尚、マイクロスイッチとは、物体の有無や位置を検出し、接点を開閉する小型のスイッチをいう。
【００１８】
制御部６は、上述のように、記録部２とともに車両用油種案内装置９を構成し、車両１１のダッシュボード等に配置され、ＣＰＵ（中央処理装置）及びコンピュータープログラム等で構成され、案内システム１全体を制御するとともに、記録部２から油種名情報を読み込み、開動作検知部５から開動作検知信号を受信すると、該油種名情報とともに、表示部３に対して油種名の表示命令を、音声案内部４に対して油種名の音声案内命令を各々送信し、油種名を表示及び音声案内させる。
【００１９】
上記各部は、互いに信号線及び電力線によって接続され、車両１１の車載用電源からの電力によって動作する。
【００２０】
次に、上記構成を有する案内システム１の動作について、図１及び図２を参照しながら説明する。
【００２１】
車両１１の使用者が車両１１のエンジンキーをＡＣＣポジションに位置させると、案内システム１の電源がＯＮとなり、制御部６は記録部２から油種名情報を読み込む。
【００２２】
そして、車両１１の使用者が、給油を行うため、例えばセルフ給油所に到着し、車両１１の操作ノブ１３を操作して給油タンク１２の蓋を露出させるための車体カバーを開けると、開動作検知部５が、この開動作を検知して制御部６に対して開動作検知信号を送信し、この信号を受信した制御部６は、表示部３に対して油種名の表示命令を、音声案内部４に対して油種名の音声案内命令を各々送信するとともに、上述のようにして予め記録部２から読み込んだ油種名情報を、表示部３及び音声案内部４に送信する。
【００２３】
上記命令及び油種名情報を受信した表示部３及び音声案内部４は、油種名を表示するとともに、車両１１内に油種名を音声案内する。これによって、案内システム１の使用者は、給油作業の直前に、給油タンク１２内に貯留されている油の種類を確認することができるため、誤給油の危険性を低く抑えることができる。
【００２４】
尚、上記実施の形態においては、表示部３による油種名の表示、及び音声案内部４による油種名の音声案内の両方を行う場合について説明したが、どちらか一方を行うように構成することもできる。また、開動作検知部５により、操作ノブ１３が開動作を行った場合にのみ、表示部３及び音声案内部４が動作するように制御しているが、例えば、常に表示部３に油種名を表示しておき、操作ノブ１３が開動作を行った場合に、表示された油種名を点滅させるなどして運転者が視認しやすくなるような構成とすることもできる。
【００２５】
また、上記実施の形態においては、開動作検知部５が車両１１の操作ノブ１３を操作して給油タンク１２の蓋を露出させるための車体カバーを開ける開動作を検知したときに、制御部６によって表示部３による油種名の表示等を行うように制御したが、操作ノブ１３の開動作以外の給油準備動作を検知し、制御部６によって表示部３による油種名の表示等を行うように制御することもできる。
【図面の簡単な説明】
【００２６】
【図１】本考案にかかる車両用油種案内システムの一実施の形態を示すブロック図である。
【図２】図１の車両用油種案内システムを車両に搭載した状態を示す概略図である。
【符号の説明】
【００２７】
１  車両用油種案内システム
２  記録部
３  表示部
４  音声案内部
５  開動作検知部
６  制御部
９  車両用油種案内装置
１１  車両
１２  給油タンク
１３  操作ノブ
【図１】
0003140151.tif 000003
【図２】
0003140151.tif 000004